(57)【要約】【課題】トポロジ情報を容易に登録する。【解決手段】ＰＤＨネットワークを構成する複数の通信装置の接続構成を記憶するデータベース１１０と、複数の通信装置それぞれに対して、通信装置から送信される送信信号に、所定の指示信号の挿入を指示するトポロジ構築部１２０と、指示信号が挿入された信号を受信した旨を示す受信報告信号を受信した場合、その受信報告信号に含まれる情報をトポロジ構築部１２０へ出力する装置監視部１３０とを有し、トポロジ構築部１２０は、装置監視部１３０が出力した、受信報告信号に含まれる情報に基づいて、データベース１１０に記憶されている、複数の通信装置の接続構成を更新する。【選択図】図１
2018050196.tif 000002
【特許請求の範囲】
【請求項１】
監視装置であって、
ＰＤＨ（Ｐｌｅｓｉｏｃｈｒｏｎｏｕｓ  Ｄｉｇｉｔａｌ  Ｈｉｅｒａｒｃｈｙ）ネットワークを構成する複数の通信装置の接続構成を記憶するデータベースと、
前記複数の通信装置それぞれに対して、該通信装置から送信される送信信号に、所定の指示信号の挿入を指示するトポロジ構築部と、
前記指示信号が挿入された信号を受信した旨を示す受信報告信号を受信した場合、該受信報告信号に含まれる情報を前記トポロジ構築部へ出力する装置監視部とを有し、
前記トポロジ構築部は、前記装置監視部が出力した、前記受信報告信号に含まれる情報に基づいて、前記データベースに記憶されている、前記複数の通信装置の接続構成を更新する監視装置。
【請求項２】
請求項１に記載の監視装置において、
前記トポロジ構築部は、前記複数の通信装置それぞれに対して、前記受信報告信号を当該監視装置へ送信するように指示する監視装置。
【請求項３】
請求項１または請求項２に記載の監視装置において、
前記トポロジ構築部は、前記複数の通信装置に対して、前記指示信号が挿入された信号を送信する送信ポート番号を指定する監視装置。
【請求項４】
請求項３に記載の監視装置において、
前記トポロジ構築部は、前記受信報告信号に、前記指示信号が挿入された信号に含まれる送信元通信装置識別情報と前記指示信号が挿入された信号を受信した受信ポート番号とを含めて送信するように指示し、前記送信ポート番号と、前記装置監視部が出力した、前記受信報告信号に含まれる前記送信元通信装置識別情報および前記受信ポート番号とに基づいて、前記データベースに記憶されている、前記複数の通信装置の接続構成を更新する監視装置。
【請求項５】
請求項１から４のいずれか１項に記載の監視装置において、
前記トポロジ構築部は、前記装置監視部が前記受信報告信号を受信した後、前記指示信号の挿入を指示した通信装置に対して、前記指示信号の挿入の解除を指示し、前記指示信号が挿入された信号を受信した後に、前記受信した信号に前記指示信号が挿入されていないことを検知した場合、前記受信した信号に前記指示信号が挿入されていない旨を示す解除報告信号を当該監視装置へ送信するように指示する監視装置。
【請求項６】
請求項１から５のいずれか１項に記載の監視装置において、
前記所定の指示信号は、ＡＩＳ（Ａｌａｒｍ  Ｉｎｄｉｃａｔｉｏｎ  Ｓｉｇｎａｌ）信号またはＲＤＩ（Ｒｅｍｏｔｅ  Ｄｅｔｅｃｔｉｏｎ  Ｉｎｄｉｃａｔｉｏｎ）信号である監視装置。
【請求項７】
ＰＤＨ（Ｐｌｅｓｉｏｃｈｒｏｎｏｕｓ  Ｄｉｇｉｔａｌ  Ｈｉｅｒａｒｃｈｙ）ネットワークを構成する複数の通信装置それぞれに対して、該通信装置から送信される送信信号に、所定の指示信号の挿入を指示する処理と、
前記指示信号が挿入された信号を受信した旨を示す受信報告信号を受信した場合、該受信報告信号に含まれる情報に基づいて、データベースに記憶されている、前記複数の通信装置の接続構成を更新する処理とを行う監視方法。
【請求項８】
コンピュータに、
ＰＤＨ（Ｐｌｅｓｉｏｃｈｒｏｎｏｕｓ  Ｄｉｇｉｔａｌ  Ｈｉｅｒａｒｃｈｙ）ネットワークを構成する複数の通信装置それぞれに対して、該通信装置から送信される送信信号に、所定の指示信号の挿入を指示する手順と、
前記指示信号が挿入された信号を受信した旨を示す受信報告信号を受信した場合、該受信報告信号に含まれる情報に基づいて、データベースに記憶されている、前記複数の通信装置の接続構成を更新する手順とを実行させるためのプログラム。 
【発明の詳細な説明】
【技術分野】
【０００１】
本発明は、通信装置を監視する監視装置、監視方法およびプログラムに関する。
【背景技術】
【０００２】
通信ネットワークを制御・監視するＮＭＳ（Ｎｅｔｗｏｒｋ  Ｍａｎａｇｅｍｅｎｔ  Ｓｙｓｔｅｍ）において、その通信ネットワークのトポロジ情報をＮＭＳ上に登録することが重要である。一般的に、トポロジ情報は、オペレータ（保守者）がその通信ネットワークを構成する通信装置間の接続情報を入力して登録される。そのため、登録作業に手間がかかってしまう。また、実際の通信ネットワークのトポロジと、登録されたトポロジ情報が示すトポロジとが一致することを保証できないため、ＮＭＳ上に誤ったトポロジ情報が登録されてしまうおそれがある。
【０００３】
そこで、ＳＤＨ（Ｓｙｎｃｈｒｏｎｏｕｓ  Ｄｉｇｉｔａｌ  Ｈｉｅｒａｒｃｈｙ）では、制御情報として、Ｔｒａｃｅ情報を通信装置間で交換することで、誤接続の検出が可能となっている。このように、ＳＤＨでは、Ｔｒａｃｅ情報を用いてトポロジ情報をＮＭＳに自動登録する手法が知られている（例えば、特許文献１参照。）。
また、Ｅｔｈｅｒｎｅｔ（登録商標）では、ＬＬＤＰ（Ｌｉｎｋ  Ｌａｙｅｒ  Ｄｉｓｃｏｖｅｒｙ  Ｐｒｏｔｏｃｏｌ，ＩＥＥＥ  ８０２．１ＡＢ）により、通信装置間の接続を検出することが可能である。ＬＬＤＰにより検出された情報を用いてトポロジ情報をＮＭＳに自動登録する手法が知られている。
【先行技術文献】
【特許文献】
【０００４】
【特許文献１】特開２０１３−２６６８７号公報
【発明の概要】
【発明が解決しようとする課題】
【０００５】
ＰＤＨ（Ｐｌｅｓｉｏｃｈｒｏｎｏｕｓ  Ｄｉｇｉｔａｌ  Ｈｉｅｒａｒｃｈｙ）では、通信装置間で通信ポートの識別ＩＤ（ＩＤｅｎｔｉｆｉｃａｔｉｏｎ）を交換するための制御情報が定義されておらず、通信装置間で接続情報を交換することができない。そのため、ＰＤＨでは、ＳＤＨやＥｔｈｅｒｎｅｔで知られるようなトポロジ情報の自動登録ができず、トポロジ情報を登録する手間がかかってしまうという問題点がある。
【０００６】
本発明の目的は、上述した課題を解決する監視装置、監視方法およびプログラムを提供することである。
【課題を解決するための手段】
【０００７】
本発明の監視装置は、
監視装置であって、
ＰＤＨ（Ｐｌｅｓｉｏｃｈｒｏｎｏｕｓ  Ｄｉｇｉｔａｌ  Ｈｉｅｒａｒｃｈｙ）ネットワークを構成する複数の通信装置の接続構成を記憶するデータベースと、
前記複数の通信装置それぞれに対して、該通信装置から送信される送信信号に、所定の指示信号の挿入を指示するトポロジ構築部と、
前記指示信号が挿入された信号を受信した旨を示す受信報告信号を受信した場合、該受信報告信号に含まれる情報を前記トポロジ構築部へ出力する装置監視部とを有し、
前記トポロジ構築部は、前記装置監視部が出力した、前記受信報告信号に含まれる情報に基づいて、前記データベースに記憶されている、前記複数の通信装置の接続構成を更新する。
また、本発明の監視方法は、
ＰＤＨ（Ｐｌｅｓｉｏｃｈｒｏｎｏｕｓ  Ｄｉｇｉｔａｌ  Ｈｉｅｒａｒｃｈｙ）ネットワークを構成する複数の通信装置それぞれに対して、該通信装置から送信される送信信号に、所定の指示信号の挿入を指示する処理と、
前記指示信号が挿入された信号を受信した旨を示す受信報告信号を受信した場合、該受信報告信号に含まれる情報に基づいて、データベースに記憶されている、前記複数の通信装置の接続構成を更新する処理とを行う。
また、本発明のプログラムは、
コンピュータに実行させるプログラムであって、
ＰＤＨ（Ｐｌｅｓｉｏｃｈｒｏｎｏｕｓ  Ｄｉｇｉｔａｌ  Ｈｉｅｒａｒｃｈｙ）ネットワークを構成する複数の通信装置それぞれに対して、該通信装置から送信される送信信号に、所定の指示信号の挿入を指示する手順と、
前記指示信号が挿入された信号を受信した旨を示す受信報告信号を受信した場合、該受信報告信号に含まれる情報に基づいて、データベースに記憶されている、前記複数の通信装置の接続構成を更新する手順とを実行させる。
【発明の効果】
【０００８】
以上説明したように、本発明においては、トポロジ情報を容易に登録することができる。
【図面の簡単な説明】
【０００９】
【図１】本発明の監視装置の第１の実施の形態を示す図である。
【図２】図１に示した通信装置における監視方法を説明するためのフローチャートである。
【図３】本発明の監視装置の第２の実施の形態を示す図である。
【図４】図３に示した監視装置の内部構造の一例を示す図である。
【図５】図４に示した装置データベースに記憶されている情報の一例を示す図である。
【図６】図４に示したトポロジデータベースに記憶されている情報の一例を示す図である。
【図７】本形態における接続例を示す図である。
【図８】図３に示した通信システムにおける監視方法を説明するためのシーケンス図である。
【発明を実施するための形態】
【００１０】
以下に、本発明の実施の形態について図面を参照して説明する。
（第１の実施の形態）
【００１１】
図１は、本発明の監視装置の第１の実施の形態を示す図である。
本形態における監視装置１００は図１に示すように、データベース１１０と、トポロジ構築部１２０と、装置監視部１３０とを有している。なお、図１には、本形態における監視装置１００が具備する構成要素のうち、本実施の形態に関わる主要な構成要素の一例を示す。
【００１２】
データベース１１０は、ＰＤＨネットワークを構成する複数の通信装置の接続構成を記憶する。
トポロジ構築部１２０は、複数の通信装置に対して、通信装置から送信される送信信号に、所定の指示信号の挿入を指示する。また、トポロジ構築部１２０は、装置監視部１３０から出力されてきた、受信報告信号に含まれる情報に基づいて、データベース１１０記憶されている、複数の通信装置の接続構成を更新する。
装置監視部１３０は、受信報告信号を受信した場合、受信した受信報告信号に含まれる情報をトポロジ構築部１２０へ出力する。
【００１３】
以下に、図１に示した監視装置１００における監視方法について説明する。図２は、図１に示した通信装置１００における監視方法を説明するためのフローチャートである。
【００１４】
まず、トポロジ構築部１２０が、複数の通信装置のうち１つ（特定）の通信装置に対して、通信装置から送信される送信信号に、所定の指示信号の挿入を指示する（ステップＳ１）。
その後、装置監視部１３０は、受信報告信号を受信すると（ステップＳ２）、受信した受信報告信号に含まれる情報をトポロジ構築部１２０へ出力する。すると、トポロジ構築部１２０は、装置監視部１３０から出力されてきた、受信報告信号に含まれる情報に基づいて、データベース１１０記憶されている、複数の通信装置の接続構成を更新する（ステップＳ３）。トポロジ構築部１２０は、全ポート（通信装置）に対してステップＳ１〜Ｓ３の処理が完了したかどうかを判定する（ステップＳ４）。処理が完了していない場合、トポロジ構築部１２０は、完了していないポート（通信装置）に対してステップＳ１〜Ｓ３の処理を行う。
【００１５】
このように、監視装置１００が、ＰＤＨネットワークを構成する複数の通信装置に対して、送信信号に所定の指示信号の挿入を指示し、指示信号が挿入された信号を受信した場合、受信した旨を示す受信報告信号を監視装置１００へ送信するように指示する。監視装置１００は、受信報告信号に含まれる情報に基づいて、データベースに記憶されている、複数の通信装置の接続構成を更新する。そのため、トポロジ情報を容易に登録することができる。
（第２の実施の形態）
【００１６】
図３は、本発明の監視装置の第２の実施の形態を示す図である。本形態における監視装置１０１が具備された通信システムにおいては、図３に示すように、監視装置１０１と、複数の通信装置２０１−１〜２０１−３とが、通信ネットワーク３０１を介して接続されている。なお、図３に示した通信システムにおいては、通信装置２０１−１〜２０１−３が３つである場合を例に挙げて示しているが、その数は限定しない。
通信ネットワーク３０１は、一般的なＰＤＨネットワークで良い。
通信装置２０１−１〜２０１−３は、ＰＤＨネットワークを構成する、通信機能を有する通信端末装置である。
【００１７】
図４は、図３に示した監視装置１０１の内部構造の一例を示す図である。
図３に示した監視装置１０１は図４に示すように、装置データベース１１１と、トポロジデータベース１１２と、トポロジ構築部１２１と、装置監視部１３１とを有する。なお、図４には、図３に示した監視装置１０１が具備する構成要素のうち、本実施の形態に関わる主要な構成要素の一例を示す。
【００１８】
装置データベース１１１は、通信装置２０１−１〜２０１−３の情報を記憶するデータベースである。
【００１９】
図５は、図４に示した装置データベース１１１に記憶されている情報の一例を示す図である。
図４に示した装置データベース１１１には図５に示すように、装置名と、ＩＰ（Ｉｎｔｅｒｎｅｔ  Ｐｒｏｔｏｃｏｌ）アドレスと、装置構成とが対応付けられて記憶されている。
装置名は、通信装置２０１−１〜２０１−３を識別できる通信装置識別情報である。例えば、通信装置２０１−１〜２０１−３それぞれにあらかじめ固有に付与されている識別情報であっても良い。ＩＰアドレスは、通信装置２０１−１〜２０１−３それぞれに付与されているＩＰアドレスである。装置構成は、通信装置２０１−１〜２０１−３それぞれがどのような通信ポートを具備しているかを示す情報である。
トポロジデータベース１１２は、通信装置２０１−１〜２０１−３から構成された通信ネットワークがそのような接続構成を有しているかを示す情報を記憶するデータベースでる。
【００２０】
図６は、図４に示したトポロジデータベース１１２に記憶されている情報の一例を示す図である。
図４に示したトポロジデータベース１１２には図６に示すように、接続元の通信装置の装置名および通信ポートと、接続先の通信装置の装置名および通信ポートとが対応付けられて記憶されている。例えば、図６に示すように、接続元の装置名「２０１−１」およびポート（Ｐｏｒｔ）「Ｅ１  Ｐｏｒｔ１」と接続先の装置名「２０１−２」およびポート（Ｐｏｒｔ）「Ｅ１  Ｐｏｒｔ１」とが対応付けられて記憶されている。これは、通信装置２０１−１の通信ポート「Ｅ１  Ｐｏｒｔ１」と、通信装置２０１−２の通信ポート「Ｅ１  Ｐｏｒｔ１」とが接続されていることを示す。また、接続元の装置名「２０１−２」およびポート（Ｐｏｒｔ）「Ｅ１  Ｐｏｒｔ２」と接続先の装置名「２０１−３」およびポート（Ｐｏｒｔ）「Ｅ１  Ｐｏｒｔ１」とが対応付けられて記憶されている。これは、通信装置２０１−２の通信ポート「Ｅ１  Ｐｏｒｔ２」と、通信装置２０１−３の通信ポート「Ｅ１  Ｐｏｒｔ１」とが接続されていることを示す。
【００２１】
トポロジ構築部１２１は、通信装置２０１−１〜２０１−３に対して、通信装置２０１−１〜２０１−３から送信される送信信号に、所定の指示信号の挿入を指示する。このとき、トポロジ構築部１２１は、通信装置２０１−１〜２０１−３に対して、指示信号が挿入された信号を送信する送信ポート番号を指定する。なお、この送信ポート番号は、上記の所定の指示信号に含まれるものではなく、通信装置２０１−１〜２０１−３が互いの間で通信を行う場合に、互いに通知する必要はない。また、トポロジ構築部１２１は、通信装置２０１−１〜２０１−３に対して、指示信号が挿入された信号を受信した場合、受信した旨を示す受信報告信号を監視装置１０１へ送信するように指示する。これは、オペレータからの入力に基づいて行うものであっても良い。また、トポロジ構築部１２１は、装置監視部１３１から出力されてきた、受信報告信号に含まれる情報に基づいて、トポロジデータベース１１２記憶されている、通信装置２０１−１〜２０１−３の接続構成を更新する。トポロジ構築部１２１は、通信装置２０１−１〜２０１−３に対して、受信報告信号に、指示信号が挿入された信号に含まれる送信元の通信装置識別情報である送信元通信装置識別情報と、指示信号が挿入された信号を受信した受信ポート番号とを含めて送信するように指示する。また、トポロジ構築部１２１は、送信ポート番号と、装置監視部１３１が出力した、受信報告信号に含まれる送信元通信装置識別情報および受信ポート番号とに基づいて、トポロジデータベース１１２記憶されている、通信装置２０１−１〜２０１−３の接続構成を更新する。
さらに、トポロジ構築部１２１は、装置監視部１３１が受信報告信号を受信した後、指示信号の挿入を指示した通信装置２０１−１〜２０１−３に対して、指示信号の挿入の解除を指示する。また、トポロジ構築部１２１は、通信装置２０１−１〜２０１−３に対して、指示信号が挿入された信号を受信した後に、受信した信号に指示信号が挿入されていないことを検知した場合、受信した信号に指示信号が挿入されていない旨を示す解除報告信号を監視装置１０１へ送信するように指示する。
なお、所定の指示信号は、信号に障害が発生していることを示すＡＩＳ（Ａｌａｒｍ  Ｉｎｄｉｃａｔｉｏｎ  Ｓｉｇｎａｌ）信号や、ＲＤＩ（Ｒｅｍｏｔｅ  Ｄｅｔｅｃｔｉｏｎ  Ｉｎｄｉｃａｔｉｏｎ）信号であっても良い。
装置監視部１３１は、受信報告信号を受信した場合、受信した受信報告信号に含まれる情報をトポロジ構築部１２１へ出力する。この情報には、少なくとも、送信元通信装置識別情報および受信ポート番号が含まれる。
【００２２】
図７は、本形態における接続例を示す図である。
図７に示すように、通信装置２０１−１のＰＤＨポートであるポートｘと、通信装置２０１−２のＰＤＨポートであるポート１とが接続されている。また、通信装置２０１−２のＰＤＨポートであるポートｎと、通信装置２０１−３のＰＤＨポートであるポートｙとが接続されている。通信装置２０１−２の装置制御部２２１が、各ポートと通信ネットワーク３０１との接続を制御する。
【００２３】
以下に、図３に示した通信システムにおける監視方法について説明する。図８は、図３に示した通信システムにおける監視方法を説明するためのシーケンス図である。
【００２４】
まず、トポロジ構築部１２１が、監視装置１０１を操作する操作者（オペレータ）の操作に基づいて、トポロジデータベース１１２に記憶されているトポロジを更新する指示を受けると（ステップＳ１１）、トポロジ構築部１２１は装置データベース１１１に記憶されている通信装置２０１−１〜２０１−３の装置構成を取得する。また、トポロジ構築部１２１は、通信装置２０１−１〜２０１−３に対して、ＡＩＳ信号が挿入された信号を受信した場合、受信した旨を示す受信報告信号を監視装置１０１へ送信するように指示しておく。
続いて、監視装置１０１は、取得した通信装置の各ポートについて、順番に以下の処理を行う。トポロジ構築部１２１は、通信装置２０１−２に対して、Ｐｏｒｔ１から送信する送信信号にＡＩＳ信号を挿入する指示を行う（ステップＳ１２）。すると、通信装置２０１−２の装置制御部２２１は、指定されたＰＤＨポートから送信される送信信号にＡＩＳ信号を挿入して、通信装置２０１−１への送信を開始する（ステップＳ１３）。
通信装置２０１−１は、通信装置２０１−２からＡＩＳ信号が挿入された送信信号を受信すると、受信したポート番号（ポート識別情報）を含めたＡＩＳ受信報告信号を監視装置１０１へ送信する（ステップＳ１４）。
【００２５】
装置監視部１３１は、受信報告信号を受信した場合、その受信報告信号に含まれる情報をトポロジ構築部１２１へ出力する。トポロジ構築部１２１は、装置監視部１３１が出力した、受信報告信号に含まれる情報に基づいて、トポロジデータベース１１２に記憶されている、通信装置２０１−１〜２０１−３の接続構成を更新する（ステップＳ１５）。このとき、トポロジ構築部１２１は、トポロジデータベース１１２の更新に、送信元通信装置識別情報および送信ポート番号も用いる。
【００２６】
その後、トポロジ構築部１２１は、通信装置２０１−２に対して、Ｐｏｒｔ１から送信する送信信号へのＡＩＳ信号の挿入を解除する指示を行う（ステップＳ１６）。すると、通信装置２０１−２の装置制御部２２１は、指定されたＰＤＨポートから送信される送信信号へのＡＩＳ信号の挿入を停止する（ステップＳ１７）。
通信装置２０１−１は、通信装置２０１−２から送信されてきた送信信号にＡＩＳ信号が挿入されなくなったことを検知すると、受信したポート番号（ポート識別情報）を含めたＡＩＳ解除報告信号を監視装置１０１へ送信する（ステップＳ１８）。
【００２７】
なお、ステップＳ１５の処理と、ステップＳ１６〜Ｓ１８の処理とは、どちらを先に行っても良い。
【００２８】
同様に、トポロジ構築部１２１は、通信装置２０１−２に対して、Ｐｏｒｔ２から送信する送信信号にＡＩＳ信号を挿入する指示を行う（ステップＳ１９）。すると、通信装置２０１−２の装置制御部２２１は、指定されたＰＤＨポートから送信される送信信号にＡＩＳ信号を挿入して、通信装置２０１−３への送信を開始する（ステップＳ２０）。
通信装置２０１−３は、通信装置２０１−２からＡＩＳ信号が挿入された送信信号を受信すると、受信したポート番号（ポート識別情報）を含めたＡＩＳ受信報告信号を監視装置１０１へ送信する（ステップＳ２１）。
【００２９】
装置監視部１３１は、受信報告信号を受信した場合、その受信報告信号に含まれる情報をトポロジ構築部１２１へ出力する。トポロジ構築部１２１は、装置監視部１３１が出力した、受信報告信号に含まれる情報に基づいて、トポロジデータベース１１２に記憶されている、通信装置２０１−１〜２０１−３の接続構成を更新する（ステップＳ２２）。このとき、トポロジ構築部１２１は、トポロジデータベース１１２の更新に、送信元通信装置識別情報および送信ポート番号も用いる。
【００３０】
その後、トポロジ構築部１２１は、通信装置２０１−２に対して、Ｐｏｒｔ２から送信する送信信号へのＡＩＳ信号の挿入を解除する指示を行う（ステップＳ２３）。すると、通信装置２０１−２の装置制御部２２１は、指定されたＰＤＨポートから送信される送信信号へのＡＩＳ信号の挿入を停止する（ステップＳ２４）。
通信装置２０１−３は、通信装置２０１−２から送信されてきた送信信号にＡＩＳ信号が挿入されていないことを検知すると、受信したポート番号（ポート識別情報）を含めたＡＩＳ解除報告信号を監視装置１０１へ送信する（ステップＳ２５）。
【００３１】
なお、ステップＳ２２の処理と、ステップＳ２３〜Ｓ２５の処理とは、どちらを先に行っても良い。
【００３２】
監視装置１０１は、上記の処理をすべての通信装置２０１−１〜２０１−３に対して行う。
【００３３】
このように、ＡＩＳ信号の挿入／挿入解除で、送信信号へのＡＩＳ信号を挿入／挿入解除を指示したポートと、装置からのＡＩＳ信号の挿入／挿入解除の通知との相関から、監視装置１０１は特定装置の特定ポートが対向装置のポートと接続されていることがわかる。また、すべてのＰＤＨ装置のすべての通信ポートに対して上述の手順を実行することで、通信装置２０１−１〜２０１−３からトポロジ情報を得て、データベースを更新する。これにより、ＰＤＨネットワークにおいても、実際の接続情報を用いたトポロジ情報の登録を容易に行うことができる
ＳＤＨ、Ｅｔｈｅｒｎｅｔと組み合わせた統合監視ＮＭＳにおいては、ＰＤＨ部分に関しても、ＳＤＨ、Ｅｔｈｅｒｎｅｔと同等の精度／操作でトポロジ登録が可能となる。
【００３４】
なお、ＳＤＨ、Ｅｔｈｅｒｎｅｔの通信ネットワークには既知の手法を用い、ＰＤＨの通信ネットワークには本手法を用いることで、通信ネットワークアーキテクチャの異なる通信ネットワークを統合管理することが可能である。この場合、ＮＭＳのトポロジ構築部は該当通信ネットワークに応じて、ＳＤＨ、Ｅｔｈｅｒｎｅｔ、ＰＤＨ用のモジュールを切り替えて用いれば良い。また、本手法は、ＳＤＨ、Ｅｔｈｅｒｎｅｔなど、ＰＤＨ以外のネットワークアーキテクチャにも応用可能である。
【００３５】
このように、本発明は、ネットワークマネジメントシステム上のトポロジ構築手法に適用することができる。
【００３６】
上述した監視装置１００，１０１それぞれに設けられた各構成要素が行う処理は、目的に応じてそれぞれ作製された論理回路で行うようにしても良い。また、処理内容を手順として記述したコンピュータプログラム（以下、プログラムと称する）を監視装置１００，１０１それぞれにて読取可能な記録媒体に記録し、この記録媒体に記録されたプログラムを監視装置１００，１０１それぞれに読み込ませ、実行するものであっても良い。監視装置１００，１０１それぞれにて読取可能な記録媒体とは、フロッピー（登録商標）ディスク、光磁気ディスク、ＤＶＤ（Ｄｉｇｉｔａｌ  Ｖｅｒｓａｔｉｌｅ  Ｄｉｓｃ）、ＣＤ（Ｃｏｍｐａｃｔ  Ｄｉｓｃ）、Ｂｌｕ−ｒａｙ（登録商標）  Ｄｉｓｃなどの移設可能な記録媒体の他、監視装置１００，１０１それぞれに内蔵されたＲＯＭ（Ｒｅａｄ  Ｏｎｌｙ  Ｍｅｍｏｒｙ）、ＲＡＭ（Ｒａｎｄｏｍ  Ａｃｃｅｓｓ  Ｍｅｍｏｒｙ）等のメモリやＨＤＤ（Ｈａｒｄ  Ｄｉｓｃ  Ｄｒｉｖｅ）等を指す。この記録媒体に記録されたプログラムは、監視装置１００，１０１それぞれに設けられたＣＰＵ（Ｃｅｎｔｒａｌ  Ｐｒｏｃｅｓｓｉｎｇ  Ｕｎｉｔ）にて読み込まれ、ＣＰＵの制御によって、上述したものと同様の処理が行われる。ここで、ＣＰＵは、プログラムが記録された記録媒体から読み込まれたプログラムを実行するコンピュータとして動作するものである。
【００３７】
上記の実施の形態の一部または全部は、以下の付記のようにも記載され得るが、以下には限られない。
（付記１）監視装置であって、
ＰＤＨ（Ｐｌｅｓｉｏｃｈｒｏｎｏｕｓ  Ｄｉｇｉｔａｌ  Ｈｉｅｒａｒｃｈｙ）ネットワークを構成する複数の通信装置の接続構成を記憶するデータベースと、
前記複数の通信装置それぞれに対して、該通信装置から送信される送信信号に、所定の指示信号の挿入を指示するトポロジ構築部と、
前記指示信号が挿入された信号を受信した旨を示す受信報告信号を受信した場合、該受信報告信号に含まれる情報を前記トポロジ構築部へ出力する装置監視部とを有し、
前記トポロジ構築部は、前記装置監視部が出力した、前記受信報告信号に含まれる情報に基づいて、前記データベースに記憶されている、前記複数の通信装置の接続構成を更新する監視装置。
（付記２）監視装置において、
前記トポロジ構築部は、前記複数の通信装置それぞれに対して、前記受信報告信号を当該監視装置へ送信するように指示する、付記１に記載の監視装置。
（付記３）前記トポロジ構築部は、前記複数の通信装置に対して、前記指示信号が挿入された信号を送信する送信ポート番号を指定する、付記１または付記２に記載の監視装置。
（付記４）前記トポロジ構築部は、前記受信報告信号に、前記指示信号が挿入された信号に含まれる送信元通信装置識別情報と前記指示信号が挿入された信号を受信した受信ポート番号とを含めて送信するように指示し、前記送信ポート番号と、前記装置監視部が出力した、前記受信報告信号に含まれる前記送信元通信装置識別情報および前記受信ポート番号とに基づいて、前記データベースに記憶されている、前記複数の通信装置の接続構成を更新する、付記３に記載の監視装置。
（付記５）前記トポロジ構築部は、前記装置監視部が前記受信報告信号を受信した後、前記指示信号の挿入を指示した通信装置に対して、前記指示信号の挿入の解除を指示し、前記指示信号が挿入された信号を受信した後に、前記受信した信号に前記指示信号が挿入されていないことを検知した場合、前記受信した信号に前記指示信号が挿入されていない旨を示す解除報告信号を当該監視装置へ送信するように指示する、付記１から４のいずれか１項に記載の監視装置。
（付記６）前記所定の指示信号は、ＡＩＳ（Ａｌａｒｍ  Ｉｎｄｉｃａｔｉｏｎ  Ｓｉｇｎａｌ）信号またはＲＤＩ（Ｒｅｍｏｔｅ  Ｄｅｔｅｃｔｉｏｎ  Ｉｎｄｉｃａｔｉｏｎ）信号である、付記１から５のいずれか１項に記載の監視装置。
（付記７）ＰＤＨ（Ｐｌｅｓｉｏｃｈｒｏｎｏｕｓ  Ｄｉｇｉｔａｌ  Ｈｉｅｒａｒｃｈｙ）ネットワークを構成する複数の通信装置それぞれに対して、該通信装置から送信される送信信号に、所定の指示信号の挿入を指示する処理と、
前記指示信号が挿入された信号を受信した旨を示す受信報告信号を受信した場合、該受信報告信号に含まれる情報に基づいて、データベースに記憶されている、前記複数の通信装置の接続構成を更新する処理とを行う監視方法。
（付記８）コンピュータに、
ＰＤＨ（Ｐｌｅｓｉｏｃｈｒｏｎｏｕｓ  Ｄｉｇｉｔａｌ  Ｈｉｅｒａｒｃｈｙ）ネットワークを構成する複数の通信装置それぞれに対して、該通信装置から送信される送信信号に、所定の指示信号の挿入を指示する手順と、
前記指示信号が挿入された信号を受信した旨を示す受信報告信号を受信した場合、該受信報告信号に含まれる情報に基づいて、データベースに記憶されている、前記複数の通信装置の接続構成を更新する手順とを実行させるためのプログラム。
【符号の説明】
【００３８】
１００，１０１    監視装置
１１０    データベース
１１１    装置データベース
１１２    トポロジデータベース
１２０，１２１    トポロジ構築部
１３０，１３１    装置監視部
２０１−１〜２０１−３    通信装置
３０１    通信ネットワーク 
【図１】
2018050196.tif 000003
【図２】
2018050196.tif 000004
【図３】
2018050196.tif 000005
【図４】
2018050196.tif 000006
【図５】
2018050196.tif 000007
【図６】
2018050196.tif 000008
【図７】
2018050196.tif 000009
【図８】
2018050196.tif 000010